(57)【要約】【課題】点灯ユニットの大型化及びコストアップを招くことなく、コモンモードノイズの影響を低減することができる点灯ユニット及びランプを提供することを目的とする。【解決手段】  電球形蛍光ランプは、ケースの内部に、発光管を点灯させる点灯ユニット５０を収納している。この点灯ユニット５０は、整流・平滑回路、インバータ回路等を備え、インバータ回路は、一対のトランジスタＱ１，Ｑ２と一対の結合用コンデンサＣ５，Ｃ８を備える。トランジスタＱ２は、その主面が結合用コンデンサＣ８と対向する状態で、当該結合用コンデンサＣ８に近接している  【選択図】図３
2008159400.tif 000002
【特許請求の範囲】
【請求項１】
光源を点灯させるために複数の電子部品から構成されている回路を備える点灯ユニットであって、
前記複数の電子部品には、２以上のスイッチング素子と、１以上のコンデンサが含まれ、
前記２以上のスイッチング素子のうち、低電位側となるスイッチング素子が、その主面が前記コンデンサのうちの少なくとも１つのコンデンサと対向する状態で、当該コンデンサに近接している
ことを特徴とする点灯ユニット。
【請求項２】
光源を点灯させるために複数の電子部品から構成されている回路を備える点灯ユニットであって、
前記複数の電子部品には、１つのスイッチング素子と、１以上のコンデンサが含まれ、
前記スイッチング素子が、その主面が前記コンデンサのうちの少なくとも１つのコンデンサと対向する状態で、当該コンデンサに近接している
ことを特徴とする点灯ユニット。
【請求項３】
前記スイッチング素子が近接する前記コンデンサは、フィルムコンデンサである
ことを特徴とする請求項１又は２に記載の点灯ユニット。
【請求項４】
前記コンデンサと近接する前記スイッチング素子は、板状の台座上に半導体チップが実装された構造を有すると共に、当該スイッチング素子が近接する前記少なくとも１つのコンデンサは偏平状をし、
前記スイッチング素子と前記偏平状のコンデンサとを前記台座の主面と直交する方向から見たときに、前記スイッチング素子の台座と前記偏平状のコンデンサの扁平面とが重なる状態で、前記スイッチング素子と前記偏平状のコンデンサとが対向している
ことを特徴とする請求項３に記載の点灯ユニット。
【請求項５】
対向し合う前記スイッチング素子と前記コンデンサとの間隔が、５ｍｍ以下である
ことを特徴とする請求項１〜４の何れか１項に記載の点灯ユニット。
【請求項６】
前記光源は、低圧水銀放電管であり、
前記回路は、平滑コンデンサを含む整流・平滑回路と、２以上のスイッチング素子を含むインバータ回路とを有し、
前記インバータ回路は、結合用コンデンサとして前記偏平状のコンデンサを備え、当該偏平状のコンデンサが前記平滑回路に接続されている
ことを特徴とする請求項１〜５の何れか１項に記載の点灯ユニット。
【請求項７】
光源と、当該光源を点灯させる点灯ユニットとを備えるランプであって、
前記点灯ユニットは、請求項１〜６の何れか１項に記載の点灯ユニットである
ことを特徴とするランプ。
【発明の詳細な説明】
【技術分野】
【０００１】
本発明は、ランプ用の点灯ユニット及び当該点灯ユニットを備えるランプに関し、ノイズ、特にコモンモードノイズの低減技術に関する。
【背景技術】
【０００２】
近年の省エネルギ化に伴い、照明の分野においても、従来から用いられていた白熱電球に代えて、ランプ効率が高く、しかも長寿命な低圧水銀放電ランプ、例えば、電球形蛍光ランプが用いられるようになってきている。
この電球形蛍光ランプ（以下、単に「ランプ」という。）は、発光管と、発光管を点灯させるための点灯ユニットと、発光管を保持すると共に内部に点灯ユニットを収納する樹脂製のケースなどから構成されている。ケースの一端には、照明器具側のソケットへのランプの取り付け及び商用電源からの電力を取り込むための口金が設けられている（特許文献１及び２）。
【０００３】
図１７は、特許文献１に係る点灯ユニットの回路構成図であり、図１８は、特許文献２に係る点灯ユニットの各部品の配置図である。
特許文献１に係る点灯ユニット（以下、「従来の点灯ユニット」という。）は、図１７に示すように、所謂インバータ方式のものである。この点灯ユニットは、例えば、ダイオードブリッジや平滑コンデンサを有する整流・平滑回路と、一対のスイッチング素子を有するインバータ回路と、チョークコイルと共振用コンデンサなどを有する共振回路などから構成されている。
【０００４】
上記構成の点灯ユニットでは、スイッチング素子のオン・オフ時に、急激な電圧変化（電流変化）によりノイズ（このノイズを「ノーマルモードノイズ」ともいう。）が発生する。なお、ノイズによりスイッチング素子が誤作動する等の問題が生じたり、一般的に電気配線を介してＡＶ機器や通信機器にノイズとして入ったりするなどの問題がある。
上記ノイズは、通常、点灯ユニットの回路を構成する配線（図１７中のＸ，Ｙである。）に沿って伝わる。このため、当該ノイズ除去用のノイズフィルタ（コンデンサやコイル等）が配線上（ここでは、Ｘ側である。）に設けられている。
【０００５】
また、スイッチング素子のノイズの影響を少なくするために、図１８に示すように、例えば、スイッチング素子を基板の端縁近くに配置し、点灯ユニットを構成する他の電子部品から離している。
【特許文献１】特開平８−１９５２８７号公報
【特許文献２】特開２００４−３０３６１９号公報
【発明の開示】
【発明が解決しようとする課題】
【０００６】
従来の点灯ユニットでのノイズ対策は、ノーマルモードノイズに対しては有効であったが、近年の点灯ユニットの開発において新たに発生し始めたコモンモードノイズに対して有効でないことが判明した。
このコモンモードノイズは、点灯ユニットを小型化するために点灯周波数を高くしたり、回路効率を改善するためにスイッチング素子のスイッチング速度を高めたりすると、大地（グランド)に対する電位変動が早くなり、少しの電位アンバランスに対しても発生する。
【０００７】
また、ランプ電圧が高い発光管を採用した場合には、インバータ回路に入力する電圧を、倍電圧整流回路や昇圧形の複合インバータ回路によって高めている。このようにインバータ回路に入力する電圧が高くなると、大地に対する電位変動が大きくなり、コモンモードノイズが発生しやすくなる。
上記コモンモードノイズは、２つの配線（図１７のＸ，Ｙが該当する。）の双方に沿って伝播するので、従来の点灯ユニットで行なっているノイズフィルタを一方の配線に設けただけでは、除去できないのである。
【０００８】
なお、コモンモードノイズを除去するには、例えば、２つの配線（図１７のＸ，Ｙが該当する。）に大きなノイズフィルタを設けたり、コモンモードノイズ専用の高価なノイズフィルタを用いたり、回路全体を電界遮蔽する遮蔽部材を設けたりする必要があり、いずれの対策も点灯ユニットの大型化とコストアップを招く。
本発明は、上記のような問題点を鑑みてなされたものであって、点灯ユニットの大型化及びコストアップを招くことなく、コモンモードノイズの影響を低減することができる点灯ユニット及びランプを提供することを目的とする。
【課題を解決するための手段】
【０００９】
上記目的を達成するために、本発明に係る点灯ユニットは、光源を点灯させるために複数の電子部品から構成されている回路を備える点灯ユニットであって、前記複数の電子部品には、２以上のスイッチング素子と、１以上のコンデンサが含まれ、前記２以上のスイッチング素子のうち、低電位側となるスイッチング素子が、その主面が前記コンデンサのうちの少なくとも１つのコンデンサと対向する状態で、当該コンデンサに近接していることを特徴としている。
【００１０】
或いは、本発明に係る点灯ユニットは、光源を点灯させるために複数の電子部品から構成されている回路を備える点灯ユニットであって、前記複数の電子部品には、１つのスイッチング素子と、１以上のコンデンサが含まれ、前記スイッチング素子が、その主面が前記コンデンサのうちの少なくとも１つのコンデンサと対向する状態で、当該コンデンサに近接していることを特徴としている。
【００１１】
また、前記スイッチング素子が近接する前記コンデンサは、フィルムコンデンサであることを特徴としている。
さらに、前記コンデンサと近接する前記スイッチング素子は、板状の台座上に半導体チップが実装された構造を有すると共に、当該スイッチング素子が近接する前記少なくとも１つのコンデンサは偏平状をし、前記スイッチング素子と前記偏平状のコンデンサとを前記台座の主面と直交する方向から見たときに、前記スイッチング素子の台座と前記偏平状のコンデンサの扁平面とが重なる状態で、前記スイッチング素子と前記偏平状のコンデンサとが対向していることを特徴としている。
【００１２】
また、対向し合う前記スイッチング素子と前記コンデンサとの間隔が、５ｍｍ以下であることを特徴としている。
ここでいう「対向し合う前記スイッチング素子と前記コンデンサとの間隔」とは、スイッチング素子の外表面とコンデンサの外表面との間の距離をいい、また、換言すると、スイッチング素子の主面と直交する方向におけるスイッチング素子の外表面とコンデンサの外表面との間隔になる。
【００１３】
或いは、前記光源は、低圧水銀放電管であり、前記回路は、平滑コンデンサを含む整流・平滑回路と、２以上のスイッチング素子を含むインバータ回路とを有し、前記インバータ回路は、結合用コンデンサとして前記偏平状のコンデンサを備え、当該偏平状のコンデンサが前記平滑回路に接続されていることを特徴としている。
一方、上記目的を達成するために、本発明に係るランプは、上記点灯ユニットを備えることを特徴としている。
【発明の効果】
【００１４】
本発明に係る点灯ユニットは、低電位側となるスイッチング素子が、その主面が前記コンデンサのうちの少なくとも１つのコンデンサと対向する状態で、当該コンデンサに近接しているので、点灯ユニットの大型化及びコストアップを招くことなく、コモンモードノイズの影響を低減することができる。
本発明に係る点灯ユニットは、スイッチング素子が、その主面が前記コンデンサのうちの少なくとも１つのコンデンサと対向する状態で、当該コンデンサに近接しているので、点灯ユニットの大型化及びコストアップを招くことなく、コモンモードノイズの影響を低減することができる。
【００１５】
本発明に係るランプは、上記点灯ユニットを備えるので、ランプの大型化及びコストアップを招くことなく、コモンモードノイズの影響を低減することができる。
【発明を実施するための最良の形態】
【００１６】
＜第１の実施の形態＞
１．ランプの全体構成
図１は、第1の実施の形態におけるランプ１を側面より見た断面図であり、内部の様子が分かるように一部を切り欠いている。この図に示すランプ１は、６０Ｗタイプの白熱電球の代替用である１２Ｗタイプである。
【００１７】
図１に示すように、ランプ１は、放電路が屈曲する形状、例えば二重螺旋状に形成された発光管１０と、この発光管１０を保持するためのホルダ２０と、発光管１０を点灯させるための点灯ユニット５０と、一端に口金４０が取り付けられ、ホルダ２０及び点灯ユニット５０を覆うように設けられたケース３０とから構成されている。
発光管１０は、例えば軟質ガラスからなる、例えば、外径；９．０（ｍｍ）のガラス管を、その略中央部で折り返し、この折り返した部分から端部までを折り返した部分を通る旋回軸Ａの周りに旋回して形成されたものを用いている。
【００１８】
発光管１０の内部（放電路）における両端部分、つまり、ガラス管の端部には、フィラメントを有する電極（不図示）が各々設けられている（この部分を「電極形成部分」ともいう。）。このとき、放電路内の一対の電極間距離（放電路長）は、例えば、４００（ｍｍ）に設定されている。そして、発光管１０の内面には、蛍光体層が形成され、放電路内には、水銀及び緩衝ガスが封入されている。緩衝ガスは、希ガスが用いられ、例えば、アルゴン（Ａｒ）、ネオン（Ｎｅ）、これらを混合した混合ガスが封入されている。
【００１９】
ホルダ２０は、ＰＥＴ（ポリエチレンテレフタレート）などの樹脂材料から構成されており、発光管１０における電極形成部分の近傍領域の形状に合わせた挿入孔（不図示）を有している。発光管１０は、ホルダ２０の内部へと電極形成部分が挿入孔を介して挿入された状態で、シリコーン樹脂などの材料からなる樹脂材２１によりホルダ２０内で固定されている。
【００２０】
ケース３０は、例えば、ＰＢＴ（ポリブチレンテレフタレート）からなり、小径部３０ａと、小径部３０ａより径が大きい大径部３０ｂと、小径部３０ａと大径部３０ｂとの間であって小径部３０ａから大径部３０ｂへと拡径するテーパ部３０ｃとを備え、漏斗状をしている。
ケース３０の大径部３０ｂの内周面にはホルダ２０が、そして、小径部３０ａの外周面には口金４０がそれぞれ取着されている。なお、ここでは、ホルダ２０の外周がケース３０の大径部３０ｂに被着されているが、例えば、ケースとホルダとが一体になったものでも良い。つまり、ケースは、発光管を保持すると共に小径部に口金が被着され、内部に点灯ユニットを収納するものであれば良い。
【００２１】
口金４０は、例えば、金属筒の周壁がネジ状に形成されたものであり、ここでは、Ｅ１７タイプが用いられている。口金４０は、Ｅ１７タイプに限定するものではなく、例えば、Ｅ２６タイプでも良いし、さらには、Ｂ形でも良い。
点灯ユニット５０は、主面に所定の配線パターンが形成された基板５１に複数の電子部品が実装されることによって構成されている。なお、点灯ユニット５０は、図１に示すように、基板５１の周縁の複数個所がホルダ２０の係止部３１，３２により係止されて、ケース３０の内部に組み込まれている。
【００２２】
２．ランプの回路構成について
図２は、点灯ユニット５０を含むランプ１の回路構成を説明する。
点灯ユニット５０は、主に、整流・平滑回路５３、インバータ回路５５、共振回路５７及び予熱回路５９から構成されている。
整流・平滑回路５３は、商用低周波交流を整流、平滑して直流に変換して出力するものであって、ダイオードブリッジ及び電解コンデンサＣＤ１，ＣＤ２から構成されている。なお、倍電圧方式を採用しているため、整流・平滑回路５３の出力電圧は、入力電圧（実効値）の約２．８倍となる。例えば、商用電源の電圧（実効値）が１００（Ｖ）であれば、整流・平滑回路５３の出力電圧は約２８０（Ｖ）となる。
【００２３】
点灯ユニット５０は、口金４０を介して商用電源に接続され、また、口金４０と整流・平滑回路５３との間、つまり、整流・平滑回路５３の入力側に突入電流防止抵抗Ｐ２が接続されている。
インバータ回路５５は、１対のトランジスタ（本発明の「スイッチング素子」に相当する。）Ｑ１，Ｑ２と、２個の結合コンデンサＣ５，Ｃ８とで構成される、所謂ハーフブリッジタイプである。結合コンデンサＣ５，Ｃ８には、箔タイプのフィルムコンデンサ、例えば、ポリエステルのフィルムコンデンサが用いられる。各結合コンデンサの仕様は、例えば、静電容量４７（ｎＦ）、定格電圧２５０（Ｖ）である。
【００２４】
インバータ回路５５は、トランジスタＱ１，Ｑ２が交互にオンになるようにスイッチングすることにより、接続ノードＮ１と接続ノードＮ２との間に接続された負荷（共振回路５７、予熱回路５９及び発光管１０）に高周波（例えば、５０ｋＨｚ）の電圧を供給する。
トランジスタＱ１，Ｑ２のスイッチング動作は、電流変成器ＣＴにより行われる。電流変成器ＣＴは、１個の一次コイルと２個の二次コイルとを有する。二次コイルは、一次コイルに流れた負荷電流の大きさ及び向きに応じた電圧をそれぞれ誘起する。
【００２５】
図２に示す構成によれば、トランジスタＱ１がオンのときに流れた負荷電流によって二次コイルに電圧が誘起され、トランジスタＱ１がオフになるとともにトランジスタＱ２がオンになる。一方、トランジスタＱ２がオンのときに流れた負荷電流によって二次コイルに電圧が誘起され、トランジスタＱ２がオフとなるとともにトランジスタＱ１がオンとなる。
【００２６】
スイッチング動作は、抵抗Ｒ１，Ｒ２、起動用コンデンサＣ３及びトリガダイオードＴＤで構成される起動回路によって開始される。起動回路は、抵抗Ｒ１，Ｒ２及び起動用コンデンサＣ３が直列接続されており、抵抗Ｒ１と起動用コンデンサＣ３との接続ノードがトリガダイオードＴＤを介してトランジスタＱ２のベースに接続されている。
なお、起動用コンデンサＣ３には、箔タイプのフィルムコンデンサ、例えば、ポリエステルフィルムコンデンサが用いられ、その仕様は、例えば、定格電圧１００（Ｖ）である。
【００２７】
上記スイッチング動作が開始すれば、トランジスタＱ１，Ｑ２は電流変成器ＣＴの出力電圧により交互にオン・オフを繰り返す。このスイッチングのターンオフには、スイッチング素子特有の所定の時間を必要とし、また、その直前に流れていた電流はチョークコイルＬ（インダクタンス）にも流れて電圧と電流のスイッチングの時間が若干ずれる。これにより、トランジスタＱ１，Ｑ２での損失が大幅に増大するため、このようなスイッチング損失を抑制してトランジスタＱ１，Ｑ２を保護するためにスナバコンデンサＣ４が設けられている。
【００２８】
スナバコンデンサＣ４には、箔タイプのフィルムコンデンサ、例えば、ポリエステルフィルムコンデンサが用いられ、その仕様は、例えば、静電容量１（ｎＦ）、定格電圧１．２（ｋＶ）である。
また、このスナバコンデンサＣ４には大きなパルス電流が流れるので、ポリプロピレンフィルムや、ポリプロピレンフィルムとポリエステルフィルムとを組み合わせたものを使用し、耐パルス電流性を向上させたものも用いられる。
【００２９】
なお、インバータ回路５５は、トランジスタＱ１，Ｑ２から発生するノーマルモードノイズを除去するフィルタコイルＮＦを介して整流・平滑回路５３に接続されている。これにより、フィルタコイルＮＦと結合コンデンサＣ５，Ｃ８とでＬＣフィルタが構成されることとなり、ノーマルモードノイズが商用電源に流出することを防止することができる。
共振回路５７は、チョークコイルＬと共振用コンデンサＣ６とが直列接続されて構成されている。共振回路５７は、電極（フィラメントコイル）に予熱電流を流すとともに、当該フィラメント電極間の電圧を増大させる機能を有する。共振用コンデンサＣ６には、箔タイプのフィルムコンデンサ、例えば、ポリエステルフィルムコンデンサが用いられ、その仕様は、例えば、静電容量１（ｎＦ）、定格電圧１．２（ｋＶ）である。
【００３０】
予熱回路５９は、共振用コンデンサＣ６に並列に接続され、ランプ始動初期に共振回路５７の共振周波数を下げるための補助コンデンサＣ７と、補助コンデンサＣ７への電流を調整する正温度特性抵抗素子ＰＴＣとを直列接続で備えている。
補助コンデンサＣ７は、箔タイプのフィルムコンデンサ、例えば、ポリエステルフィルムコンデンサが用いられ、その仕様は、例えば、定格電圧１．２（ｋＶ）である。また、正温度特性抵抗素子ＰＴＣには、変曲点８５（℃）で１．０（ｋΩ）のものが用いられている。これは、点灯ユニット５０を構成する回路と発光管１０に応じて、予熱電流と予熱時間とが所定の範囲になるように調整するためである。なお、この補助コンデンサＣ７は、予熱設定できれば使用しない場合もある。
【００３１】
３．動作説明
ランプ１の点灯動作について、図２を用いて簡単に説明する。
商用電源から口金４０を介して点灯ユニット５０に供給された交流電力は、整流・平滑回路５３において一旦直流電力に変換され、インバータ回路５５に出力される。これにより、起動用コンデンサＣ３の端子間電圧が一定の時定数で上昇する。時定数は、抵抗Ｒ１，Ｒ２の抵抗値及び起動用コンデンサＣ３の静電容量により決まる。起動用コンデンサＣ３の端子間電圧がトリガダイオードＴＤのブレークオーバ電圧を超えたときに、トランジスタＱ２のベースに起動用コンデンサＣ３の端子間電圧が印加され、トランジスタＱ２がオンになる。これによりスイッチング動作が開始される。
【００３２】
その後、共振回路５７、予熱回路５９及び発光管１０に高周波の電圧が供給され、共振回路５７の共振周波数が下がり、電極間に高電圧が印加される。これにより、電極間が絶縁破壊を起して両電極間に電流が流れ、ランプ１が点灯する。
４．電子部品の配置について
図３は、点灯ユニット５０の斜視図であり、図４は、点灯ユニット５０の平面図である。以下、図３及び図４を利用して、点灯ユニットを構成している電子部品の配置について説明する。
【００３３】
点灯ユニット５０は、上述した各回路を構成する複数の電子部品が基板５１に実装されてなる。
平面視（図４）における基板５１の中央部には、チョークコイルＬが実装され、当該チョークコイルＬの上方に本体部が位置するように、２個の電解コンデンサＣＤ１，ＣＤ２が配されている。
【００３４】
平面視においてチョークコイルＬの周りには、図４に示すように、一対のトランジスタＱ１，Ｑ２、正温度特性抵抗素子ＰＴＣ等が配されている。
トランジスタＱ１の近傍にはスナバコンデンサＣ４が配され、トランジスタＱ２（本発明の「低電位側のスイッチング素子」である。）の近傍には、結合コンデンサＣ８が配されている。
【００３５】
図５は、トランジスタＱ２と結合コンデンサＣ８との位置関係を説明するための外略図である。
トランジスタＱ２は、バイポーラトランジスタであり、図５に示すように、金属製の台座Ｑ２ｄと、台座Ｑ２ｄに実装された半導体チップＱ２ｃと、半導体チップＱ２ｃとワイヤＷ１，Ｗ２を介して接続されたエミッタＱ２ｅ及びベースＱ２ｂと、台座Ｑ２ｄ、エミッタＱ２ｅ、ベースＱ２ｂの一部が外部に延出するように、半導体チップＱ２ｃ、台座Ｑ２ｄ、エミッタＱ２ｅ、ベースＱ２ｂを封止（パッケージ）する封止体Ｑ２ｒとからなる。なお、封止体Ｑ２ｒには、例えばエポキシ樹脂が使用され、台座Ｑ２ｄがコレクタとなる。
【００３６】
ここで、図５は、バイポーラトランジスタとして説明したが、スイッチング素子としてＮチャンネルＭＯＳＦＥＴを使用する場合は、前記エミッタＱ２ｅ、ベースＱ２b、コレクタ（台座）Ｑ２ｄは、それぞれ、ソース、ゲート、ドレイン（台座）となる。
トランジスタＱ２と結合コンデンサＣ８は、図３〜図５に示すように、互いに対峙する状態で配されている。具体的には、結合コンデンサＣ８は、図３、図４に示すように、偏平状をしており、当該偏平面とトランジスタＱ２の台座Ｑ２ｄとが対向する状態で、トランジスタＱ２と結合コンデンサＣ８とが近接している。
【００３７】
そして、図４に示すように、結合コンデンサＣ８を、当該コンデンサの偏平面と略直交する方向であってトランジスタＱ２がある側と反対側から見た（図４におけるＢ方向から見た）ときに、トランジスタＱ２の略全部が結合コンデンサＣ８に隠れている。
５．コモンモードノイズについて
コモンモードノイズは、「発明が解決しようとする課題」の欄で説明したように、倍電圧整流回路によってインバータ回路への入力電圧が高くなったとき等に発生しやすくなる。
【００３８】
図６は、図２における接続ノートＮ１、接続ノードＮ２の大地に対する電圧変化図である。
図６に示すように（ａ）の接続ノードＮ１は、トランジスタＱ２のオン・オフすることで、整流・平滑回路５３の出力電圧Ｖ０（Ｖ）と、電圧値が略０（Ｖ）との間でパルス状に変化し、その電圧変化が大きいことがわかる。一方、（ｂ）の接続ノードＮ２は、トランジスタＱ２のオン・オフにほとんど関係なく、整流・平滑回路５３の出力電圧Ｖ０（Ｖ）の約半分の電圧を基準として若干変動があるものの、接続ノードＮ１の電圧変化に比べて小さいことが分かる。
【００３９】
発明者らの検討によれば、コモンモードノイズは、電圧・電流の変化の大きい電子部品で発生し、大地に対して電圧・電流変化の大きい部分が多いスイッチング素子に発生する。
ＮチャンネルＭＯＳＦＥＴトランジスタを用いた場合、低電圧側のＦＥＴトランジスタのドレインを対象にしている理由は、ドレインでもある台座が、他のソースやゲートに比べて面積が広く、周囲環境電位(大地電位など)に対して、静電結合の度合いが強くなるため、その急峻な電位変動は、電位のアンバランスを招きやすく、結果的にノイズが発生しやすくなるからである。
【００４０】
従って、２つのトランジスタＱ１，Ｑ２は、互いに、ソース−ドレイン間の電圧変動は同じであるが、各トランジスタＱ１，Ｑ２のドレインを基準にすると、トランジスタＱ１のドレインでは大地に対してほとんど電圧変化がなく（その分、ソースでの電圧変化が大きくなる）、トランジスタＱ２のドレインでは大地に対して電圧変化が大きい。
従って、２つのトランジスタの内、低電圧側のスイッチング素子、つまり、トランジスタＱ２の方が、トランジスタＱ１よりも、コモンモードノイズの発生量が多くなる。
【００４１】
そして、本実施の形態に係るトランジスタＱ２は結合コンデンサＣ８と対峙する状態で基板５１に配されているので、トランジスタＱ２で発生したノイズのうち、電界輻射されたコモンモードノイズを結合コンデンサ（フィルムコンデンサ）Ｃ８で吸収し抑制できる。
これにより、電界輻射されたコモンモードノイズが、点灯ユニット５０からランプ１の外部へと漏出するのを遮蔽することができ、結果的にコモンモードノイズの影響を抑制することができる。
【００４２】
このように本実施の形態に係る点灯ユニットでは、コモンモードフィルタを設けることなく、コモンモードノイズを低減できる。なお、このノイズ低減効果については後述する。
＜第２の実施の形態＞
第１の実施の形態では、整流平滑回路として、図２に示すような、倍電圧型の回路を用いている。しかしながら、コモンモードノイズは、倍電圧整流回路を利用した場合にだけ発生するものではない。
【００４３】
第２の実施の形態は、商業電圧が高い場合、例えば、２７７（Ｖ）の電源電圧（実効値）が印加する場合も発生し、以下、電源電圧が２７７（Ｖ）用のランプについて説明する。
１．ランプの全体構成
図７及び８は、第２の実施の形態に係るランプ１０１を示す図であり、内部の様子が分かるように、その一部を切り欠いている。
【００４４】
ランプ１０１は、図７及び８に示すように、「Ｕ」字状に屈曲する２本のガラス管をブリッジ結合してガラス管内に放電路を有する発光管１０３と、この発光管１０３を保持するためのホルダ１０５と、発光管１０３を点灯駆動するための点灯ユニット１０７と、一端に口金１０９が取り付けられ且つ点灯ユニット７を内部に格納するケース１１１とを備える。
【００４５】
発光管１０３は、内部放電路の端部に相当するガラス管１１３の端部１１３ａ，１１３ｂに封着された電極（図示省略）を備える。また、ガラス管１１３の内面には、蛍光体層が形成され、内部に、水銀（アマルガムとして封入されている場合もある。）、緩衝ガス等が封入されている。
なお、ガラス管１１３の内面と蛍光体層との間には、保護層が形成されている場合もある。また、ガラス管１１３の端部１１３ａ，１１３ｂは、発光管１０３の端部に相当するため、発光管１０３の端部を説明する際にも、符号「１１３ａ」、「１１３ｂ」を用いる。
【００４６】
発光管１０３は、端部の端部１１３ａ，１１３ｂから延出している。端部１１３ａに封着されている電極のリード線が図中の「１１５ａ」，「１１５ｂ」であり、端部１１３ｂに封着されている電極のリード線が図中の「１１７ａ」，「１１７ｂ」である。
なお、放電路内における電極と電極との距離（放電路長）は、例えば、３３０（ｍｍ）に設定されている。
【００４７】
ホルダ１０５は、有底筒状をしており、底となる端壁１０５ｂと、当該端壁１０５ｂから管軸方向に離れるに従って拡径する筒状のテーパ部１０５ａと、当該テーパ部１０５ａの端壁１０５ｂと反対側の端に設けられた円筒部１０５ｃと有する。
ホルダ１０５は、例えばＰＥＴ（ポリエチレンテレフタレート）などの樹脂材料から構成されている。端壁１０５ｂには、発光管１０３の端部１１３ａ，１１３ｂをホルダ１０５内に受け入れるための受入口が形成されている。
【００４８】
発光管３は、第１の実施の形態と同様に、その端部１１３ａ，１１３ｂが上記の受入口からホルダ１０５内に挿入された状態で、当該端部１１３ａ，１１３ｂが固着剤（例えばシリコーン樹脂）１２５によりホルダ１０５の内部に固着されることで保持される。
なお、ホルダ１０５のテーパ部１０５ａの肉厚が薄いために、周方向に間隔を置いて複数個所にリブ１１４が形成されている。
【００４９】
点灯ユニット１０７は、その回路構成については後述するが、複数の電子部品１２３ａ，１２３ｂ，１２３ｃ等と、これらの電子部品１２３ａ，１２３ｂ，１２３ｃを実装・接続するための基板１２１とを備える。ここで、複数の電子部品１２３ａ，１２３ｂ，１２３ｃ等とは、コンデンサ、スイッチング素子、抵抗等である。
点灯ユニット１０７のホルダ１０５への取着は、基板１２１における発光管１０３側の主面がリブ１１４により支持された状態で、図外の係止爪により基板１２１の端縁が係止されることで行われる。
【００５０】
ケース１１１は、漏斗状をしており、小径部１１１ａと、小径部１１１ａより径が大きい大径部１１１ｂと、小径部１１１ａと大径部１１１ｂとの間であって小径部１１１ａから大径部１１１ｂへと拡径する拡径部１１１ｃとを備える。ケース１１１は、例えば、ＰＢＴ（ポリブチレンテレフタレート）等の樹脂材料から構成されている。
ケース１１１の大径部１１１ｂの内周面にはホルダ１０５の円筒部１０５ｃが、そして小径部１１１ａの外周面には口金１０９がそれぞれ取着されている。なお、ここでは、ホルダ１０５の円筒部１０５ｃがケース１１１の大径部１１１ｂにより被着されている。
【００５１】
口金１０９は、例えば、金属筒の周壁がネジ状に形成された、所謂ねじ込みタイプ（エジソンタイプ）である。口金９は、ねじ込みタイプに限定するものではなく、例えば、ピンタイプでも良い。
第２の実施の形態におけるランプ１０１は、発光管１０３を被覆するグローブ１２７を備える。
【００５２】
グローブ１２７は、例えばガラス、アクリル等により構成されており、その形状がＤタイプである。このグローブ１２７の開口端部１２７ａは、図７及び８に示すように、ケース１１１の大径部１１１ｂとホルダ１０５の円筒部１０５ｃとの間に形成される隙間に挿入されている。
ホルダ１０５、ケース１１１及びグローブ１２７の取着は、ここでは、ホルダ１０５とケース１１１との係着構造と固着剤を用いた固着構造とを利用している。具体的な係着構造は、ホルダ１０５の円筒部１０５ｃの周縁に形成された係合爪１０５ｄが、ケース１１１の内面に形成された係合凸部１１１ｄに係合することで実施される。また、固着構造は、ホルダ１０５の円筒部１０５ｃとケース１１１の大径部１１１ｂとの間の隙間に充填された固着剤１２９により実施され、ケース１１１とホルダ１０５とグローブ１２７とが一体で固着される。
【００５３】
なお、ケース１１１の内面には、ホルダ１０５がケース１１１内の奥に入りすぎないように、ホルダ１０５の挿入を阻止する阻止部１１１ｅが形成されている。また、係合爪１０５ｄ、係合凸部１１１ｄ、阻止部１１１ｅは、ホルダ１０５或いはケース１１１の周方向に間隔を置いて複数個（例えば４個）設けられている。
ここで、第２の実施の形態では、Ｕ字のガラス管を連結させた発光管１０３を用いたが、第１の実施の形態で説明した２重螺旋状の発光管１０を用いても良い。その場合には、発光管１０の形状やケース１１１の形状に応じてホルダの形状を適切な形状にする必要がある。
【００５４】
２．ランプの回路構成について
図９は、点灯ユニット１０７を含むランプ１０１の回路構成を説明する図である。
点灯ユニット１０７は、主に、整流回路１５１、平滑回路１５３、インバータ回路1５５、共振回路１５７及び予熱回路１５９から構成されている。なお、本点灯ユニット１０７は、２７７（Ｖ）の電源電圧（実効値）用である。
【００５５】
整流回路１５１は、商用低周波交流を直流へと変換する、所謂整流するものである。ここでの整流回路１５１は、第１の実施の形態と同様に、４つのダイオードでブリッジダイオード１ＤＢを構成する全波整流タイプである。
平滑回路１５３は、整流された直流を平滑して出力するものである。ここでの平滑回路１５３は、３つのダイオード１Ｄ１，１Ｄ２，１Ｄ３と２つの平滑コンデンサ１Ｃ２，１Ｃ８とから構成される、所謂部分平滑回路である。なお、平滑コンデンサ１Ｃ２，１Ｃ８には、電解コンデンサが用いられている。
【００５６】
３つのダイオード１Ｄ１，１Ｄ２，１Ｄ３は、各ダイオードの順方向が整流回路１５１の出力側における負極側から正極側へと向かうように直列接続されている。平滑コンデンサ１Ｃ８は、直列接続された３つのダイオード１Ｄ１，１Ｄ２，１Ｄ３のうち、２つ目のダイオード１Ｄ２のアノード側の接続ノード１Ｎ１と整流回路１５１の正極側の接続ノード１Ｎ２との間に接続されている。また、平滑コンデンサ１Ｃ２は、同じく２つ目のダイオード１Ｄ２のカソード側の接続ノード１Ｎ３と整流回路１５１の出力側における負極側の接続ノード１Ｎ４との間に接続されている。
【００５７】
平滑コンデンサ１Ｃ２，１Ｃ８には、例えば、静電容量１．０（μＦ）、定格電圧４５０（Ｖ）の電解コンデンサが利用され、また、ダイオード１Ｄ１，１Ｄ２，１Ｄ３には、１（Ａ）、４００（Ｖ）の仕様のものが使用されている。
点灯ユニット１０７は、口金１０９を介して商用電源に接続され、また、口金１０９と整流回路１５１との間、つまり、整流回路１５１への入力側に突入電流防止用の抵抗１Ｒ１や、ノイズフィルタ用のコイル１ＮＦ１が接続されている。
【００５８】
インバータ回路１５５は、１対のＦＥＴ１Ｑ１，１Ｑ２（本発明のスイッチング素子である。）と、２個の結合コンデンサ１Ｃ５，１Ｃ７とで構成される、所謂ハーフブリッジタイプである。結合コンデンサ１Ｃ５，１Ｃ７には、例えば、静電容量１００（ｎＦ）、定格電圧４００（Ｖ）のものが利用されている。
インバータ回路１５５の起動、つまり、ＦＥＴ１Ｑ１，１Ｑ２のスイッチング動作は、抵抗１Ｒ２，１Ｒ３，１Ｒ４で構成される起動回路によって開始され、また、スイッチングのオン・オフは、電流変成器１ＣＴを利用して行なわれる。
【００５９】
ここで、ＦＥＴ１Ｑ１，１Ｑ２、起動回路及び電流変成器１ＣＴの接続について説明する。
ＦＥＴ１Ｑ１，１Ｑ２はＮチャンネルタイプである。ＦＥＴ１Ｑ１，１Ｑ２は、ＦＥＴ１Ｑ１のソースとＦＥＴ１Ｑ２のドレインが接続された（接続ノードが「１Ｎ５」である。）状態で、平滑回路１５３に対して並列接続されている。また、ＦＥＴ１Ｑ１のドレインが平滑回路１５３の出力側の正極側に、ＦＥＴ１Ｑ２のソースが平滑回路１５３の出力側の負極側にそれぞれ接続されている。
【００６０】
起動回路の抵抗１Ｒ３，１Ｒ４，１Ｒ２は、平滑回路１５３の出力側の正極側からこの順で直列接続されている。そして、抵抗１Ｒ４と抵抗１Ｒ２との間が、ＦＥＴ１Ｑ１とＦＥＴ１Ｑ２とが接続されている接続ノード１Ｎ５に接続されている。
抵抗１Ｒ４の接続ノード１Ｎ５側端には、電流変成器１ＣＴが接続されている。この電流変成器１ＣＴは、１個の一次コイルと２個の二次コイルとを有し、一次コイルに流れた負荷電流の大きさ及び向きに応じた電圧をそれぞれ誘起する。ここでは、電流変成器１ＣＴの１次コイルは、接続ノード１Ｎ５と共振回路１５７とに接続され、また各二次コイルの一端は、接続ノード１Ｎ６，１Ｎ７を介して、ＦＥＴ１Ｑ１，１Ｑ２のゲートに接続されている。
【００６１】
また、接続ノード１Ｎ６には、抵抗１Ｒ３の一端が接続されている。
上記接続により、接続ノード１Ｎ５，１Ｎ６間の電圧が設定電圧値に達すると、ＦＥＴ１Ｑ１がオンとなり、スイッチング動作を開始する。スイッチング動作が開始すると、ＦＥＴ１Ｑ１，１Ｑ２は電流変成器１ＣＴの２次コイルの誘電電圧により交互にオン・オフを繰り返す。
【００６２】
つまり、ＦＥＴ１Ｑ１がオンのときに、後述のチョークコイル１Ｌ、発光管１０３等を流れた電流によって二次コイルに電圧が誘起され、ＦＥＴ１Ｑ１がオフになるとともにＦＥＴ１Ｑ２がオンになる。一方、ＦＥＴ１Ｑ２がオンのときに流れた電流によって二次コイルに電圧が誘起され、ＦＥＴ１Ｑ２がオフとなるとともにＦＥＴＱ１がオンとなる。
なお、起動回路を構成する抵抗１Ｒ３の仕様は、７．８（ＭΩ）であり、抵抗Ｒ４の仕様は１００（ｋΩ）、抵抗Ｒ２の仕様は４４０（ｋΩ）である。
【００６３】
共振回路１５７は、チョークコイル１Ｌと共振コンデンサ１Ｃ６とが直列接続されて構成されている。共振回路１５７は、電極（フィラメントコイル）１１６，１１８に予熱電流を流すとともに、当該電極１１６，１１８間の電圧を増大させる機能を有する。共振コンデンサ１Ｃ６の仕様は、例えば静電容量１８００（ｐＦ）、定格電圧８００（Ｖ）であり、チョークコイル１Ｌの仕様は、例えば２．３（ｍＨ）である。
【００６４】
予熱回路１５９は、電極への電流を調整する負温度特性抵抗素子１ＮＴＣを、一方の電極１１６に対して並列接続で備えている。なお、負温度特性抵抗素子１ＮＴＣには、例えば、ＮＴＰ０５２２０ＬＢ１Ａ０（ＭＵＲＡＴＡ製  ２２Ω）が用いられている。
３．電子部品の配置について
図１０は、点灯ユニット１０７の平面図であり、図１１は点灯ユニット１０７の正面図であり、また、図１２は点灯ユニット１０７の底面図である。なお、ここでの平面視は、基板１２１を当該基板１２１の主面と直交する方向から見たときである。
【００６５】
以下、図１０〜１２を利用して、点灯ユニット１０７を構成している電子部品の配置について説明する。
点灯ユニット１０７は、上述した各回路を構成する複数の電子部品が基板１２１に実装されてなる。
基板１２１の略中央部に２つの平滑コンデンサ１Ｃ８，１Ｃ２が配されている。この２つの平滑コンデンサ１Ｃ８，１Ｃ２は、図１１に示すように、その本体部が基板１２１から離れる状態で基板１２１に装着されている。
【００６６】
２つの平滑コンデンサ１Ｃ２，１Ｃ８のうちの一方（ここでは、平滑コンデンサ１Ｃ８である。）の本体部の下方にチョークコイル１Ｌが配され、これらを平面視すると、図１０に示すように、チョークコイル１Ｌの一部が平滑コンデンサ１Ｃ８の本体部に隠れる。
２つの平滑コンデンサ１Ｃ８，１Ｃ２が並べて配されているその一方の側方には、電流変成器１ＣＴ、結合コンデンサ１Ｃ５が配され、また、２つの平滑コンデンサ１Ｃ８，１Ｃ２が並べて配されたその他方の側方には、共振コンデンサ１Ｃ６が配されている。
【００６７】
図１０において、電流変成器１ＣＴの下方、つまり、２つの平滑コンデンサ１Ｃ８，１Ｃ２を平面視した時のそれぞれの中心を結ぶ仮想線分が延伸する方向であって、電流変成器１ＣＴにおけるチョークコイル１Ｌ１と反対側に結合コンデンサ１Ｃ７が配されている。
結合コンデンサ１Ｃ７の本体部１Ｃ７ａは、図１０及び１１に示すように、偏平状をしており、偏平している方向と直交する面（この面を以下、「偏平面」ともいう。）Ｃが、図１１に示すように、基板１２１と略平行となるように、一対のリード線１Ｃ７ｂ，１Ｃ７ｃが屈曲している。
【００６８】
基板１２１における結合コンデンサ１Ｃ７の本体部１Ｃ７ａの裏側（結合コンデンサ１Ｃ７は位置する側と反対側）には、図１０及び１１に示すように、ＦＥＴ１Ｑ２が配されている。このＦＥＴ１Ｑ２は、その台座が基板１２１と平行になる状態で基板１２１に実装され、また、結合コンデンサ１Ｃ７の偏平面ＣがＦＥＴ１Ｑ２の台座と略並行な状態で対向し、近接する。
【００６９】
そして、結合コンデンサ１Ｃ７の偏平面と直交する方向であって結合コンデンサ１Ｃ７におけるＦＥＴ１Ｑ２が位置する側と反対側（基板１２１の上方）から結合コンデンサ１Ｃ７を見たときに、ＦＥＴ１Ｑ２が結合コンデンサ１Ｃ７（本体部１Ｃ７ａ）の裏に隠れるように、結合コンデンサ１Ｃ７とＦＥＴ１Ｑ２が基板１２１に実装されている。
４．コモンモードノイズ低減効果について
発明者らは、第２の実施の形態における点灯ユニット（以下、「実施品」という。）を用いてコモンモードノイズ低減効果の確認試験を行なった。
【００７０】
上記実施品である点灯ユニットの特徴部分は、結合コンデンサ１Ｃ７の本体部１Ｃ７ａが、ＦＥＴ１Ｑ２と対向する状態で、基板１２１における口金１０９が位置する側の面に実装されている。一方、実施品との比較のために、第２の実施の形態に係る点灯ユニットと同様の回路構成（同じ電子部品を用いている。）をし、結合コンデンサ１Ｃ７の本体部１Ｃ７ａが、ＦＥＴ１Ｑ２と対向していない、つまり、図１１において結合コンデンサ１Ｃ７のリード線１Ｃ７ｂ,１Ｃ７ｃが屈曲していない点灯ユニット（以下、「従来品」という。）についても試験した。
【００７１】
なお、実施品において、結合コンデンサ１Ｃ７とＦＥＴ１Ｑ２との間隔（図１１の「Ｌ」である。）が５（ｍｍ）であり、当該間隔Ｌは５（ｍｍ）以下が好ましい。これは、間隔Ｌが５（ｍｍ）より大きくなると、このコモンモードノイズの低減効果が得られなくなるためである。
試験内容は、連邦通信委員会（FCC：Federal Communications Commission）が定め
る規則のパート１８に基づいて、口金の端子間のノイズを測定した。また、実施品及び従来品は、ランプとして組み込まれ、電源電圧が２７７（Ｖ）で定常点灯中のノイズを測定している。
【００７２】
上記ノイズの測定結果より、実施品は、従来品に対して、コモンモードノイズを２（ｄＢμＶ）〜５（ｄＢμＶ）低減することが判明した。また、ここでの実施品は、図１０及び図１１に示すように、結合コンデンサ１Ｃ７だけをＦＥＴ１Ｑ２に対向する状態に配置したものであるが、結合コンデンサ１Ｃ７，１Ｃ５をＦＥＴ１Ｑ２に対峙させると、従来品に対して、コモンモードノイズを３（ｄＢμＶ）〜７（ｄＢμＶ）低減することも分かった。
【００７３】
以上のことから、ＦＥＴ１Ｑ２に対向させるコンデンサの面積が、結合コンデンサ１Ｃ５、１Ｃ７を使うと２倍になり、ＦＥＴ１Ｑ２と対向するコンデンサの面積が広いほど、コモンモードノイズの低減量を増やすことができると考えられる。
＜第３の実施の形態＞
第１及び第２の実施の形態におけるランプ１，１０１は、所謂、低圧放電ランプ（電球形蛍光ランプ）であり、発光管３，１０３を備えている。第３の実施の形態におけるランプ２０１は、発光管の代わりに、半導体発光素子、所謂ＬＥＤを備えている。
【００７４】
図１３は、第３の実施の形態に係る点灯ユニット２０３を含むランプ２０１の回路構成を説明する図である。
ランプ２０１は、複数のＬＥＤ素子を有する発光部２０５と、当該発光部２０５を点灯（発光）させる点灯ユニット２０３と、当該点灯ユニット２０３に電力を供するための口金９とを備える。
【００７５】
発光部２０５は、複数のＬＥＤ素子２１０，２１１，２１２，２１３等を直列に接続した第１の直列群２１５と、複数のＬＥＤ素子２２０，２２１，２２２，２２３等を直列に接続した第２の直列群２２５と、コンデンサ２Ｃ５とを並列接続してなる。
ここでは、各直列群２１５，２２５を構成するＬＥＤ素子２１０〜２１３，２２０〜２２３は、その順方向が同じ向きになるように接続され、第１の直列群２１５と第２の直列群２２５とで、ＬＥＤ素子２１０〜２１３，２２０〜２２３の順方向が異なる。
【００７６】
点灯ユニット２０３は、主に、整流回路２３１、平滑回路２３３、インバータ回路２３５等から構成されている。
整流回路２３１は、ダイオードブリッジ２ＤＢから構成される。平滑回路２３３は、１つの平滑コンデンサ２ＣＤ１を備える全平滑回路である。平滑コンデンサ２ＣＤ１には、例えば、静電容量２．２（μＦ）、定格電圧４５０（Ｖ）のものが利用される。
【００７７】
インバータ回路２３５は、１対のトランジスタ２Ｑ１，２Ｑ２（本発明のスイッチング素子である。）と、２個の結合コンデンサ２Ｃ４，２Ｃ６とで構成されるハーフブリッジタイプである。
結合コンデンサ２Ｃ４，２Ｃ６には、例えば、静電容量４７（ｎＦ）、定格電圧２５０（Ｖ）のものが利用されている。
【００７８】
インバータ回路２３５の起動、つまり、トランジスタ２Ｑ１，２Ｑ２のスイッチング動作は、抵抗２Ｒ２，２Ｒ１，２Ｒ０で構成される起動回路によって開始され、また、スイッチングのオン・オフは、電流変成器２ＣＴを利用して行なわれる。
ここで、トランジスタ２Ｑ１，２Ｑ２、起動回路及び電流変成器２ＣＴの接続について説明する。
【００７９】
まず、トランジスタ２Ｑ１，２Ｑ２は、トランジスタ２Ｑ１のエミッタとトランジスタ２Ｑ２のコレクタとが接続ノード２Ｎ６で直列接続された状態で、平滑回路２３３に対して並列接続されている（つまり、トランジスタ２Ｑ１のコレクタが平滑回路２３３の出力側の正極側に、トランジスタ２Ｑ２のエミッタが平滑回路２３３の出力側の負極側にそれぞれ接続されている）。
【００８０】
起動回路の抵抗２Ｒ２，２Ｒ１，２Ｒ０は、平滑回路２３３の出力側の正極側からこの順で接続ノード２Ｎ５，２Ｎ４を介して直列接続され、また接続ノード２Ｎ５は接続ノード２Ｎ６と接続する。なお、抵抗２Ｒ０には、当該抵抗２Ｒ０と並列にコンデンサ２Ｃ２が接続されている。
結合コンデンサ２Ｃ４の一端は、トランジスタ２Ｑ１のコレクタ側に、結合コンデンサ２Ｃ６の一端は、トランジスタ２Ｑ２のエミッタ側にそれぞれ接続され、他端同士が接続ノード２Ｎ７で直列に接続されている。
【００８１】
接続ノード２Ｎ７と接続ノード２Ｎ６との間には、電流変成器２ＣＴ、チョークコイル２Ｌ、発光部２０５とが直列接続されている。なお、チョークコイル２Ｌは、各直列群２１５，２２５に並列接続されたコンデンサ２Ｃ５とで、各直列群２１５，２２５に流れる電流の波形（例えば、三角波から正弦波に）を改善している。
この電流変成器２ＣＴは、第１の実施の形態における電流変成器ＣＴと同様に、１個の一次コイルと２個の二次コイルとを有する。電流変成器２ＣＴの一方の二次コイルは、接続ノード２Ｎ６とトランジスタ２Ｑ１のベースに接続され、また他方の二次コイルは、トランジスタ２Ｑ２のベースとエミッタに接続されている。
【００８２】
上記電子部品の接続により、接続ノード２Ｎ４の電圧が所定電圧に達する（抵抗２Ｒ０の分圧が所定電圧に達する。）と、トランジスタ２Ｑ２がオンとなり、スイッチング動作を開始し、電流変成器ＣＴの２次コイルの誘電電圧によって、トランジスタ２Ｑ１，２Ｑ２は交互にオン・オフを繰り返す。
トランジスタ２Ｑ２がオンのときに、平滑回路２３３から出力された電流は、結合コンデンサ２Ｃ４、発光部２０５の第２の直列群２２５、チョークコイル２Ｌ、電流変成器２ＣＴ、トランジスタ２Ｑ２を経由して、平滑回路２３３に戻る。
【００８３】
逆に、トランジスタ２Ｑ１がオンのときに、平滑回路２３３から出力された電流は、トランジスタ２Ｑ１、電流変成器２ＣＴ、チョークコイル２Ｌ、発光部２０５の第１の直列群２１５、結合コンデンサ２Ｃ６を経由して、平滑回路２３３に戻る。
第３の実施の形態では、電源電圧が２７７（Ｖ）の場合、起動回路の抵抗２Ｒ２，２Ｒ１，２Ｒ０の仕様は、電源電圧が１２０（Ｖ）より大きいときにトランジスタ２Ｑ２がスイッチングをオンするように決定されている。
【００８４】
第３の実施の形態においても、トランジスタ２Ｑ２と結合コンデンサ２Ｃ４，２Ｃ６の少なくとも一方と、対峙する状態で基板に実装されている。
（１）第３の実施の形態に係る変形例１
図１４は、変形例１に係る点灯ユニット２４５を含むランプ２４１の回路構成を説明する図である。
【００８５】
変形例１に係るランプ２４１は、図１４に示すように、第３の実施の形態と同様に、ＬＥＤ素子を有する発光部２４３と、当該発光部２４３を点灯させる点灯ユニット２４５とを有する。
発光部２４３は、複数のＬＥＤ素子２４７，２４８，２４９をその順方向が同じ向きとなるように直列接続されてなる。
【００８６】
点灯ユニット２４５は、整流回路２５１、平滑回路２５３、起動回路２５５、給電回路２５７等を備える。
整流回路２５１、平滑回路２５３は、第３の実施の形態における整流回路、平滑回路と同様の構成である。給電回路２５７は、スイッチング素子と、当該スイッチング素子のオン状態を調整する調整手段とを備える。具体的には、スイッチング素子としてトランジスタ２Ｑ３が利用され、調整手段としてチョークコイル２Ｌ１が利用される。
【００８７】
起動回路２５５は、所定の条件が成立すると給電回路２５７のトランジスタ２Ｑ３をオン状態する。この起動回路２５５は、ツェナダイオード２ＺＤ、抵抗２Ｒ５、抵抗２Ｒ４を、平滑回路２５３の出力側の正極側からこの順で直列接続されてなる。
抵抗２Ｒ５と抵抗２Ｒ４は接続ノード２Ｎ８を介して接続され、抵抗２Ｒ４に並列にコンデンサ２Ｃ８が接続されている。
【００８８】
ここで、トランジスタ２Ｑ３の接続について説明する。トランジスタ２Ｑ３のベースは接続ノード２Ｎ８に接続され、コレクタは発光部２４３の一端にチョークコイル２Ｌ１を介して接続され、またエミッタは平滑回路２５３の入力側の負極側に接続されている。
また、チョークコイル２Ｌ１は、１つの１次コイルと、１つの二次コイルとを有する。１次コイルは、上述のようにトランジスタ２Ｑ３のコレクタと発光部２４３の間に直列接続され、２次コイルは、接続ノード２Ｎ８（トランジスタ２Ｑ３のベース）とトランジスタのコレクタとにそれぞれ接続されている。
【００８９】
チョークコイル２Ｌ１の１次コイルに流れる電流は平滑回路２５３から出力された直流であるが、この電流にはトランジスタ２Ｑ３のオン・オフに応じた交流成分が含まれている。このため、２次コイルは、１次コイルに流れる電流のうちの交流成分（リプル部分）に対応して誘起電圧を発生させ、これによりトランジスタ２Ｑ３をオン・オフする。
なお、発光部２４３を構成するＬＥＤ素子２４７，２４８，２４９の直列接続に対して並列接続されたコンデンサ２Ｃ９は、各ＬＥＤ素子２４７，２４８，２４９等を流れる電流を滑らかにする。
【００９０】
上記接続により、接続ノード２Ｎ８の電圧が所定条件（電圧）に達する（抵抗２Ｒ４の分圧が所定電圧に達する。）と、トランジスタ２Ｑ３がオンとなり、平滑回路２５３から出力された直流電流が発光部２４３、チョークコイル２Ｌ１、トランジスタ２Ｑ３を経由して、平滑回路２５３に戻る。
この際、チョークコイル２Ｌ１の１次コイルに流れる直流電流のうちの交流成分に対応して２次コイルに誘電電圧が生じる。これにより、トランジスタ２Ｑ３がオンとオフとを維持すると共に１次コイルに蓄積されたエネルギにより発光部２４３の発光が維持される。
【００９１】
この変形例１でも、トランジスタ２Ｑ３が、コンデンサ２Ｃ９や、さらには平滑用のコンデンサ２Ｃ１０と対向する状態で基板に実装されている。
（２）第３の実施の形態に係る変形例２
変形例１では、トランジスタのオン・オフを接続ノード２Ｎ８の分圧により行なっていたが、ＩＣを用いて行なっても良い。
【００９２】
図１５は、変形例１に係る点灯ユニット２７３を含むランプ２７１の回路構成を説明する図である。
変形例１に係るランプ２７１は、図１５に示すように、第３の実施の形態と同様に、ＬＥＤ素子を有する発光部２４３と、当該発光部２４３を点灯させる点灯ユニット２７３とを有する。なお、発光部２４３は、変形例４と同じ構成である。
【００９３】
点灯ユニット２７３は、整流回路２５１、平滑回路２５３、起動回路２７５、給電回路２７７等を備える。整流回路２５１、平滑回路２５３は、第３の実施の形態における整流回路、平滑回路と同様の構成である。
給電回路２７７は、スイッチング素子としてのＦＥＴ２Ｑ４と、当該ＦＥＴ２Ｑ４のオン状態を調整する２ＩＣを駆動するチョークコイル２Ｌ２とを備える。
【００９４】
起動回路２７５は、所定条件が成立したか否かを判定する２ＩＣを有する。具体的には、３個の抵抗２Ｒ６，２Ｒ７，２Ｒ８が、接続ノード２Ｎ９，２Ｎ１０を介して直列接続され、平滑回路２５３に対して並列接続されている。
２ＩＣは、接続ノード２Ｎ９及び接続ノード２Ｎ１０の電圧を測定し、接続ノード２Ｎ１０の電圧値が所定を示すと、ＦＥＴ２Ｑ４をオンする。
【００９５】
この変形例２でも、ＦＥＴ２Ｑ４が、コンデンサ２Ｃ１１と対向していても良いし、さらには、ＬＥＤ素子２４７，２４８，２４９に並列にリプル改善用コンデンサ２Ｃ１２を設けて、このコンデンサ２Ｃ１２と対向していても良い。
<その他＞
１．点灯ユニット
第１の実施の形態における点灯ユニット５０及び第２の実施の形態に係る点灯ユニット１０７は、発光管１０，１０３を点灯させるものであり、第３の実施の形態に係る点灯ユニット２０３はＬＥＤ素子からなる発光部２０５を発光させるものである。
【００９６】
しかしながら、点灯ユニット５０，１０７は、第３の実施の形態に係る発光部２０５を点灯させるようにしても良いし、同様に、点灯ユニット２０３は、第１の実施の形態及び第２の実施の形態に係る発光管１０，１０３を点灯させるようにしても良い。
このような場合も、低電位側のスイッチング素子、もしくは１つのスイッチング素子にコンデンサ、特にフィルムコンデンサを対峙させれば、コモンモードノイズの低減を図ることができる。
【００９７】
２．スイッチング素子
（１）数
第１及び第２の実施の形態では、一対のスイッチング素子、つまり、２個のスイッチング素子を備えていた。また、変形例１及び２では、１つのスイッチング素子を用いていたが、例えば、４つのスイッチング素子を用いて点灯ユニットを構成しても良い。
以下、４つのスイッチング素子を用いた例を変形例３として説明する。
【００９８】
図１６は、変形例３に係る点灯ユニット３０３を含むランプの回路構成を説明する図である。
点灯ユニット３０３は、基本的には、第１の実施の形態に係る点灯ユニット５０と同様であるが、インバータ回路を構成するスイッチング素子が、第１の実施の形態では２個利用しているのに対し、変形例３では４個利用する、いわゆる、フルブリッジ型である。
【００９９】
スイッチング素子３Ｑ１，３Ｑ２，３Ｑ３，３Ｑ４のオン・オフは、スイッチング素子３Ｑ１がオンのとき、スイッチング素子３Ｑ４がオンでスイッチング素子３Ｑ２，３Ｑ３がオフであり、スイッチング素子３Ｑ２がオンのとき、スイッチング素子３Ｑ３がオンでスイッチング素子３Ｑ１，３Ｑ４がオフである。
このフルブリッジ型のインバータ回路の場合、低電位側のスイッチング素子は、スイッチング素子３Ｑ２とスイッチング素子３Ｑ４とが該当する。これら低電位側のスイッチング素子は、例えば、フィルムコンデンサであるコンデンサ３Ｃ３，３Ｃ８，３Ｃ１と対峙する（対峙させるコンデンサの数は、１個でも複数でも良い）。
【０１００】
具体的には、1つの低電位側のスイッチング素子を2つのフィルムコンデンサで挟み込むようにすれば最も良く、1つのフィルムコンデンサを対峙させるだけでも良く、或いは２つの低電位側のスイッチング素子を近接させ、それらを２つのフィルムコンデンサと対峙させても良い。いずれにしてもこの構成により、コモンモードノイズを低減できる。
なお、変形例では、２つの低電位側のスイッチング素子にコンデンサ３Ｃ３，３Ｃ８を対峙させていたが、他のコンデンサを用いても良く、また、１つのスイッチング素子に、１つのコンデンサを対峙させても良い。
【０１０１】
（２）対峙されるスイッチング素子
実施の形態では、一対のスイッチング素子の内、低電位側のスイッチング素子に結合コンデンサを対峙させている。しかしながら、両スイッチング素子とも電圧・電流の変化が大きく、両スイッチング素子からコモンモードノイズが発生している。従って、各スイッチング素子に結合コンデンサを対向させても良く、この場合、コモンモードノイズがさらに低減することができる。
【０１０２】
具体的には、第１の実施の形態において、トランジスタＱ１と結合コンデンサＣ５とに対峙させ、トランジスタＱ２と結合コンデンサＣ８とを対向させても良い。
また、実施の形態では、スイッチング素子の台座とコンデンサとが略平行に対向していたが、例えば、スイッチング素子の台座とコンデンサとが傾斜した状態で対向していても、コモンモードノイズの低減の効果があると考えられる。
【０１０３】
また、スイッチング素子の台座の面積に対してコンデンサの金属部分の面積が同等以上であり、両者の対峙する割合が１００（％）以上であれば最大の効果を得られる。さらに、実験では面積的に対峙する金属部分が１０（％）以下では距離１．６（ｍｍ）でもほとんど効果はなかった。すなわち、前記台座に平行に対峙する前記金属部分の割合（台座の主面と直交する方向から見たときに両者が重なる割合）に略比例して、コモンモードノイズ低減の効果を得られると考えられる。両者の静電結合から考えると、前記台座部分が前記金属部分に対して作る立体角にノイズ低減効果が比例していると考えられる。この点からも、面積の大きなコンデンサは効果が大きい。
【０１０４】
（３）低電位側のスイッチング素子
第１及び第２の実施の形態では、低電位側のスイッチング素子が結合コンデンサと対峙している。この理由は、上述したように、一対のスイッチング素子の内、低電位側のスイッチング素子から発生するノイズ量が多いからである。
しかしながら、上記（２）で説明したように、コモンモードノイズは、電圧電流の変化の大きい部品で発生するため、高電位側のスイッチング素子にフィルムコンデンサを対向させても、低電位側のスイッチング素子で得られた程の効果が得られないものの、コモンモードノイズを低減することができる。
【０１０５】
さらに、低電位側トランジスタの台座電位の変動によりコモンモードノイズが発生し易いが、それに次いで面積の広い、台座と同電位の電流変成器ＣＴに対してフィルムコンデンサを対峙させても、２（ｄＢμＶ）〜３（ｄＢμＶ）程度のノイズ低減効果が得られる。
３．コンデンサについて  
本発明に係るコンデンサは、実施の形態で使用したフィルムコンデンサが好ましい。この理由は、フィルムコンデンサは、金属箔とフィルムを電極の周囲に巻く構造であり周囲やスイッチング素子に対して面積的に広い安定電位を供給しやすい。この場合、この金属箔を巻いた部分の面積が、スイッチング素子の広い変動電位面である台座の面積よりも大きいと、実施の形態のように効果が特に大きいからである。
【０１０６】
また、少し高価になるが金属箔を使用していないメタライズドタイプのフィルムコンデンサでも同様に効果を得られる。他にはさらに高価になるがディスクタイプのセラミックコンデンサでも効果が得られる。
さらに、フィルムコンデンサは偏平状以外の形状、例えば、スチロールコンデンサ等の円筒状をしていても良い。但し、当該コンデンサは主に低電圧用なので、小型化を要求されるランプ用の点灯ユニットには不向きではあるが、ノイズ削減効果は得られる。
【０１０７】
コンデンサは、スイッチング素子のオン・オフに関係なく、電圧の変化の少ないものが好ましい。具体的には、つまり、スイッチング素子の電圧変動部（ドレインの台座である）に接続されていなければ良く、例えば、整流・平滑回路の出力側に接続されているコンデンサを利用することがより好ましい。また、たとえ一方がドレインの台座電位に接続されていても、他方が安定電位に接続され、フィルムコンデンサの一方の変動電位部が他方の安定電位部に覆われているようなものであれば良い。
この場合、特にインバータ回路に入力する電圧が高いほど（例えば、電源電圧が２７７（Ｖ）や、整流回路に倍電圧整流回路を用いたときである。）、同じ電力の付加を与えたときに、整流・平滑回路に接続された結合コンデンサの電圧変動が少なくなり、スイッチング素子の電圧変動による発生したコモンモードノイズを効果的に遮蔽することができる。なお、遮蔽時には、スイッチング素子側の電位との間で、小さなコンデンサを形成することになるが、そのノイズのエネルギは、専用のノイズフィルタを設けた場合よりも、発熱も少なく、また回路効率も悪化し難い。
【０１０８】
また、発明者らは種々検討した結果、スイッチング素子を含む大きな面積を持つ電子部品のうちの電圧変動部を安定電位の電子部品で覆う（対峙させる）ことにより、コモンモードノイズを吸収・遮蔽できること、そして、最も大きな変動電位部面積を有する部品は、スイッチング素子であることが判明した。
従って、スイッチング素子と対峙させる電子部品は、コンデンサに限定するものではないが、スイッチング素子を覆うことができる、つまり、スイッチング素子よりも大きい電子部品が好ましく、点灯ユニットを構成する電子部品としては、コンデンサが最も好適である。
【０１０９】
また、スイッチング素子は基板に対して垂直になっていても良い。この場合、コンデンサは1つでも効果は得られるが、スイッチング素子を挟み込む様に２つのコンデンサを対峙させた方がより大きな効果を得られる。
さらに、スイッチング素子は、基板上に寝かす（主面が基板と略平行となる）ように配置し、当該スイッチング素子を発光管と1つのフィルムコンデンサで挟み込む方が、より大きな効果を得られる。すなわち、発光管は急峻かつ大きく変動するスイッチング素子に比べてはるかに安定な電位面を構成しており、スイッチング素子を1つのフィルムコンデンサと併せて包み込むことになるので、遮蔽効果を容易により大きくでき、ノイズ改善効果も大きくなる。その際、発光管に、第１の実施の形態で説明したような発光管を用いると、発光管自体の隙間が少なく、より有効に遮蔽しやすく、より効果が大きくなる。
【産業上の利用可能性】
【０１１０】
本発明は、コモンモードノイズを簡易な構成及び安価に低減する点灯ユニット及びランプに利用できる。
【図面の簡単な説明】
【０１１１】
【図１】実施の形態におけるランプ１を側面より見た断面図であり、内部の様子が分かるように一部を切り欠いている。
【図２】点灯ユニット５０を含むランプ１の回路構成を説明する。
【図３】点灯ユニット５０の斜視図である。
【図４】点灯ユニット５０の平面図である。
【図５】トランジスタＱ２と結合コンデンサＣ８との位置関係を説明するための概略図である。
【図６】図２における接続ノートＮ１、接続ノードＮ２の大地に対する電圧変化図である。
【図７】第２の実施の形態に係るランプ１０１を示す図であり、内部の様子が分かるように、その一部を切り欠いている。
【図８】第２の実施の形態に係るランプ１０１を示す図であり、内部の様子が分かるように、その一部を切り欠いている。
【図９】第２の実施の形態に係る点灯ユニット１０７を含むランプ１０１の回路構成を説明する図である。
【図１０】点灯ユニット１０７の平面図である。
【図１１】点灯ユニット１０７の正面図である。
【図１２】点灯ユニット１０７の底面図である。
【図１３】第３の実施の形態に係る点灯ユニット２０３を含むランプ２０１の回路構成を説明する図である。
【図１４】変形例１に係る点灯ユニット２４５を含むランプ２４１の回路構成を説明する図である。
【図１５】変形例１に係る点灯ユニット２７３を含むランプ２７１の回路構成を説明する図である。
【図１６】変形例３に係る点灯ユニット３０３を含むランプの回路構成を説明する図である。
【図１７】特許文献１に係る点灯ユニットの回路構成図である。
【図１８】特許文献２に係る点灯ユニットの各部品の配置図である。
【符号の説明】
【０１１２】
１                ランプ
１０              発光管
２０              ホルダ
３０              ケース
４０              口金
５０              点灯ユニット
５１              基板
５３              整流・平滑回路
５５              インバータ回路
ＣＤ１，ＣＤ２    平滑コンデンサ
Ｑ１，Ｑ２        トランジスタ
Ｃ５，Ｃ８        結合コンデンサ
【図１】
2008159400.tif 000003
【図２】
2008159400.tif 000004
【図３】
2008159400.tif 000005
【図４】
2008159400.tif 000006
【図５】
2008159400.tif 000007
【図６】
2008159400.tif 000008
【図７】
2008159400.tif 000009
【図８】
2008159400.tif 000010
【図９】
2008159400.tif 000011
【図１０】
2008159400.tif 000012
【図１１】
2008159400.tif 000013
【図１２】
2008159400.tif 000014
【図１３】
2008159400.tif 000015
【図１４】
2008159400.tif 000016
【図１５】
2008159400.tif 000017
【図１６】
2008159400.tif 000018
【図１７】
2008159400.tif 000019
【図１８】
2008159400.tif 000020